(57)【要約】      （修正有）【課題】透明な媒質の出し入れのみによって焦点距離を変更して観察画角を変化させられる焦点距離可変光学系を提供する。【解決手段】複数のレンズと、少なくとも１つ以上のレンズ間隔に透明媒質を充填する充填部と、を有する。充填部２は、光軸Ｌｃ方向においてレンズに当接して挟まれて、光軸Ｌｃと直交する方向において筒状等の外周に側壁を有する部材に囲まれている。充填部２は、充填口と排出口を有し、透明媒質２ａを充填及び排出することが可能である。充填する透明媒質は、空気、水、又は高屈折率液体等を用いる。【選択図】図１
2014029365.tif 000002
【特許請求の範囲】
【請求項１】
複数のレンズと、
少なくとも１つ以上のレンズ間隔に透明媒質を充填する充填部と、
を有する
ことを特徴とする焦点距離可変光学系。
【請求項２】
前記充填部は、前記透明媒質である第１媒質と第２媒質を充填及び排出可能である
ことを特徴とする請求項１に記載の焦点距離可変光学系。
【請求項３】
前記充填部は、１つのレンズ間隔で構成され、前記透明媒質である第１媒質と第２媒質を選択的に充填可能である
ことを特徴とする請求項１又は２に記載の焦点距離可変光学系。
【請求項４】
前記透明媒質が前記第１媒質の場合の前記少なくとも１つ以上のレンズ間隔のうち最も像側の面での前記第１媒質の近軸光線のマージナル光線の射出角度をＵｉ１、
前記透明媒質が前記第２媒質の場合の前記少なくとも１つ以上のレンズ間隔のうち最も像側の面での前記第２媒質の近軸光線のマージナル光線の射出角度をＵｉ２、
とすると、
以下の条件式（１）を満足する
請求項２又は３に記載の焦点距離可変光学系。
０．９  ＜  Ｕｉ１／Ｕｉ２  ＜  １．１                    （１）
【請求項５】
物体側から像側へ順に、
複数のレンズからなる前群と、
後群と、
を有し、
前記少なくとも１つ以上のレンズ間隔は、前記前群の前記複数のレンズのうち、物体側から像側へ順に凹面と凸面の間である
請求項１乃至請求項４のいずれか１項に記載の焦点距離可変光学系。
【請求項６】
前記複数のレンズのうちの凹面の焦点距離をＦ１ｏ、全系の焦点距離をＦ１とすると、
以下の条件式（２）を満足する
請求項５に記載の焦点距離可変光学系。
−５  ＜  ｜Ｆ１ｏ／Ｆ１｜  ＜  −０．１                  （２）
【請求項７】
前記少なくとも１つ以上のレンズ間隔をｄとすると、
以下の条件式（３）を満足する
請求項６に記載の焦点距離可変光学系。
０．５  ＜  ｄ／Ｆ１  ＜  ５                              （３）
【発明の詳細な説明】
【技術分野】
【０００１】
本発明は、焦点距離を変更することが可能な焦点距離可変光学系に関する。
【背景技術】
【０００２】
従来、焦点距離を変更するには、レンズ間隔の変更及びレンズの出し入れにより行ってきた。また、特殊な例としては、液体の出し入れによりレンズ形状を変更するものがあった（特許文献１参照）。また、光学特性測定用液浸油として用いられる高屈折率を有する液体が開示されている（特許文献２参照）。
【先行技術文献】
【特許文献】
【０００３】
【特許文献１】特開２０１２−０２２２６３号公報
【特許文献２】特開２００２−０５３８３９号公報
【発明の概要】
【発明が解決しようとする課題】
【０００４】
しかしながら、従来のレンズ間隔の変更及びレンズの出し入れによって焦点距離を変更する方法は、複雑な構造が必要であり、カメラ等の大型の光学機器には適するが、外径が１０ｍｍ以下の小型の光学系には適していなかった。
【０００５】
本発明は、上述した事情に鑑みてなされたものであって、透明な媒質を充填することによって、焦点距離を変更して観察画角を変化させられる焦点距離可変光学系を提供することを目的としている。
【課題を解決するための手段】
【０００６】
本発明の一実施形態である焦点距離可変光学系は、複数のレンズと、少なくとも１つ以上のレンズ間隔に透明媒質を充填する充填部と、を有することを特徴とする。
【０００７】
また、前記充填部は、前記透明媒質である第１媒質と第２媒質を充填及び排出可能である。
【０００８】
また、前記充填部は、１つのレンズ間隔で構成され、前記透明媒質である第１媒質と第２媒質を選択的に充填可能である。
【０００９】
また、前記透明媒質が第１媒質の場合の前記少なくとも１つ以上のレンズ間隔のうち最も像側の面での前記第１媒質の近軸光線のマージナル光線の射出角度をＵｉ１、
前記透明媒質が第２媒質の場合の前記少なくとも１つ以上のレンズ間隔のうち最も像側の面での前記第２媒質の近軸光線のマージナル光線の射出角度をＵｉ２、
とすると、
以下の条件式（１）を満足する。
０．９  ＜  Ｕｉ１／Ｕｉ２  ＜  １．１                    （１）
【００１０】
また、物体側から像側へ順に、複数のレンズからなる前群と、後群と、を有し、前記少なくとも１つ以上のレンズ間隔は、前記前群の前記複数のレンズのうち、物体側から像側へ順に凹面と凸面の間である。
【００１１】
また、前記複数のレンズのうちの凹面の焦点距離をＦ１ｏ、全系の焦点距離をＦ１とすると、以下の条件式（２）を満足する。
−５  ＜  ｜Ｆ１ｏ／Ｆ１  ＜  −０．１                    （２）
【００１２】
また、前記少なくとも１つ以上のレンズ間隔をｄとすると、以下の条件式（３）を満足する。
０．５  ＜  ｄ／Ｆ１  ＜  ５                              （３）
【発明の効果】
【００１３】
本発明の一実施形態である焦点距離可変光学系によれば、透明な媒質を充填することによって、焦点距離を変更して観察画角を変化させることが可能となる。
【図面の簡単な説明】
【００１４】
【図１】焦点距離可変光学系の実施例１の第１状態の場合の断面図である。
【図２】焦点距離可変光学系の実施例１の第２状態の場合の断面図である。
【図３】焦点距離可変光学系の実施例１の第１状態の場合の収差図である。
【図４】焦点距離可変光学系の実施例１の第１状態の場合の収差図である。
【図５】焦点距離可変光学系の実施例１の第２状態の場合の収差図である。
【図６】焦点距離可変光学系の実施例１の第２状態の場合の収差図である。
【図７】焦点距離可変光学系の実施例２の第１状態の場合の断面図である。
【図８】焦点距離可変光学系の実施例２の第２状態の場合の断面図である。
【図９】焦点距離可変光学系の実施例２の第１状態の場合の収差図である。
【図１０】焦点距離可変光学系の実施例２の第１状態の場合の収差図である。
【図１１】焦点距離可変光学系の実施例２の第２状態の場合の収差図である。
【図１２】焦点距離可変光学系の実施例２の第２状態の場合の収差図である。
【図１３】焦点距離可変光学系の実施例３の第１状態の場合の断面図である。
【図１４】焦点距離可変光学系の実施例３の第２状態の場合の断面図である。
【図１５】焦点距離可変光学系の実施例３の第１状態の場合の収差図である。
【図１６】焦点距離可変光学系の実施例３の第１状態の場合の収差図である。
【図１７】焦点距離可変光学系の実施例３の第２状態の場合の収差図である。
【図１８】焦点距離可変光学系の実施例３の第２状態の場合の収差図である。
【発明を実施するための形態】
【００１５】
本実施形態に係る焦点距離可変光学系について、以下に図面を用いて説明する。
【００１６】
図１は、焦点距離可変光学系の実施例１の第１状態の場合の断面図である。図２は、焦点距離可変光学系の実施例１の第２状態の場合の断面図である。
【００１７】
本発明の一実施形態である焦点距離可変光学系１は、複数のレンズと、少なくとも１つ以上のレンズ間隔に透明媒質を充填する充填部２と、を有する。
【００１８】
充填部２は、光軸Ｌｃ方向においてレンズに当接して挟まれて、光軸Ｌｃと直交する方向において筒状等の外周に側壁を有する部材に囲まれている。充填部２は、図示しない充填口と排出口を有し、透明媒質を充填及び排出することが可能である。充填口と排出口は一体でもよい。充填する透明媒質は、空気、水、又は特許文献２に記載されたような高屈折率液体等を用いる。
【００１９】
このように、レンズ間隔に透明媒質を充填することが可能な充填部２を備えるので、透明な媒質を充填することによって、焦点距離を変更して観察画角を変化させることが可能となる。
【００２０】
また、充填部２は、透明媒質として第１媒質と第２媒質を充填及び排出可能である。
【００２１】
このように、充填部２は、第１媒質と第２媒質を充填及び排出可能なので、第１媒質と第２媒質を入れ替えることで、焦点距離を繰り返して切り替えることができ、観察画角を繰り返して切り替えることが可能となる。
【００２２】
また、透明媒質が第１媒質の場合の少なくとも１つ以上のレンズ間隔のうち最も像側の面での前記第１媒質の近軸光線のマージナル光線の射出角度をＵｉ１、
前記透明媒質が第２媒質の場合の前記少なくとも１つ以上のレンズ間隔のうち最も像側の面での前記第２媒質の近軸光線のマージナル光線の射出角度をＵｉ２、
とすると、
以下の条件式（１）を満足する。
０．９  ＜  Ｕｉ１／Ｕｉ２  ＜  １．１                    （１）
【００２３】
本条件は媒質の出し入れにより近軸像位置の変化を抑える為の条件である。
【００２４】
条件式（１）の下限を下回ると、第１媒質に対して第２媒質にした時の像位置が物体側に移動しすぎて、像がぼやけてしまう。
【００２５】
条件式（１）の上限を上回ると、逆に第２媒質に対して第１媒質にした時の像位置が物体側に移動しすぎて、像がぼやけてしまう。
【００２６】
条件式（１）を満足する事により、第１媒質と第２媒質に変化した場合の像位置を一致させる事が可能となる。
【００２７】
また、物体側から像側へ順に、複数のレンズからなる前群と、後群と、を有し、前記少なくとも１つ以上のレンズ間隔は、前記前群の前記複数のレンズのうち、物体側から像側へ順に凹面と凸面の間である。
【００２８】
広画角の光学系において本実施形態を実施する場合、負−正のパワー配置となる所謂レトロフォーカス型になる。この負−正のパワー配置になるレンズ間隔で媒質を変化させることが変倍比を取るために重要となる。つまり、物体側から順に、強い負の作用を持つ凹面と強い正の作用を持つ凸面の間が、変倍比を大きく取るためには、有効である。
【００２９】
また、複数のレンズのうちの凹面の焦点距離をＦ１ｏ、全系の焦点距離をＦ１とすると、以下の条件式（２）を満足する。
−５  ＜  ｜Ｆ１ｏ／Ｆ１  ＜  −０．１                    （２）
【００３０】
条件式（２）を満足することで、変倍比を大きくできると共に、収差を小さくすることが可能となる。
【００３１】
条件式（２）の上限を上回ると、凹面の焦点距離が短くなりすぎて、収差発生が大きくなる。
【００３２】
条件式（２）の下限を下回ると、変倍比が小さくなりすぎてしまう。
【００３３】
また、少なくとも１つ以上のレンズ間隔をｄとすると、以下の条件式（３）を満足する。
０．５  ＜  ｄ／Ｆ１  ＜  ５                              （３）
【００３４】
条件式（３）を満足することで、変倍比を大きくできると共に、全長を短くすることが可能となる。
【００３５】
条件式（３）の上限を上回ると、全長が長くなってしまう。
【００３６】
条件式（３）の下限を下回ると、変倍比が小さくなりすぎてしまう。
【００３７】
次に、各実施例について説明する。
【００３８】
実施例１の焦点距離可変光学系１は、物体側から像側へ順に、単一の光軸Ｌｃを持つ前レンズ群Ｇｆと、開口絞りＳと、前レンズ群Ｇｆと同軸に配置された単一の光軸Ｌｃを持つ後レンズ群Ｇｂと、を備える。
【００３９】
前レンズ群Ｇｆは、物体側から像側へ順に、物体側に平面を向けた平凹負レンズＬf1と、充填部２と、物体側に凸面を向けた負メニスカスレンズＬf2と両凸正レンズＬf3の接合レンズＳＵf1と、を有する。
【００４０】
後レンズ群Ｇｂは、物体側から像側へ順に、両凸正レンズＬb1と、平板Ｌb2と、両凸正レンズＬb3と像面側に凸面を向けた負メニスカスレンズＬb4の接合レンズＳＵb1と、平板Ｌb5と、物体側に凸面を向けた平凸正レンズＬb6と、を有する。
【００４１】
前レンズ群Ｇｆと後レンズ群Ｇｂの間には、開口絞りＳが配置される。
【００４２】
充填部２は、前レンズ群Ｇｆの平凹負レンズＬf1の像面側の面ｒ2と負メニスカスレンズＬf2の物体側の面ｒ3の間に配置される。実施例１において、充填部２は、図１に示すように、第１状態の時、第１媒質としての空気２ａが充填され、図２に示すように、第２状態の時、第２媒質としての水２ｂが充填される。
【００４３】
このように、充填部２は、第１媒質としての空気２ａと第２媒質としての水２ｂを充填及び排出可能なので、空気２ａと水２ｂを入れ替えることで、焦点距離を繰り返して切り替えることができ、観察画角を繰り返して切り替えることが可能となる。
【００４４】
図３及び図４は、焦点距離可変光学系の実施例１の第１状態の場合の収差図である。また、図５及び図６は、焦点距離可変光学系の実施例１の第２状態の場合の収差図である。
【００４５】
これら諸収差図は、中央の括弧内に示された画角でのＸ方向及びＹ方向それぞれの６５６．３ｎｍ（Ｃ線：破線）、５８７．６ｎｍ（ｄ線：実線）及び４８６．１ｎｍ（Ｆ線：一点鎖線）の各波長について示されている。以下、収差図に関しては同様である。
【００４６】
図７は、焦点距離可変光学系の実施例２の第１状態の場合の断面図である。図８は、焦点距離可変光学系の実施例２の第２状態の場合の断面図である。
【００４７】
実施例２の焦点距離可変光学系１は、物体側から像側へ順に、単一の光軸Ｌｃを持つ前レンズ群Ｇｆと、開口絞りＳと、前レンズ群Ｇｆと同軸に配置された単一の光軸Ｌｃを持つ後レンズ群Ｇｂと、を備える。
【００４８】
前レンズ群Ｇｆは、物体側から像側へ順に、物体側に平面を向けた平凹負レンズＬf1と、充填部２と、物体側に凸面を向けた負メニスカスレンズＬf2と、像面側に凸面を向けた正メニスカスレンズＬf3と、を有する。
【００４９】
後レンズ群Ｇｂは、物体側から像側へ順に、物体側に凸面を向けた正メニスカスレンズＬb1と、平板Ｌb2と、物体側に凸面を向けた負メニスカスレンズＬb3と両凸正レンズＬb4の接合レンズＳＵb1と、平板Ｌb5と、物体側に凸面を向けた平凸正レンズＬb6と、を有する。
【００５０】
前レンズ群Ｇｆと後レンズ群Ｇｂの間には、開口絞りＳが配置される。
【００５１】
充填部２は、前レンズ群Ｇｆの平凹負レンズＬf1の像面側の面ｒ2と負メニスカスレンズＬf2の物体側の面ｒ3の間に配置される。実施例２において、充填部２は、図７に示すように、第１状態の時、第１媒質としての空気２ａが充填され、図８に示すように、第２状態の時、第２媒質としての水２ｂが充填される。
【００５２】
このように、充填部２は、第１媒質としての空気２ａと第２媒質としての水２ｂを充填及び排出可能なので、空気２ａと水２ｂを入れ替えることで、焦点距離を繰り返して切り替えることができ、観察画角を繰り返して切り替えることが可能となる。
【００５３】
図９及び図１０は、焦点距離可変光学系の実施例２の第１状態の場合の収差図である。また、図１１及び図１２は、焦点距離可変光学系の実施例２の第２状態の場合の収差図である。
【００５４】
図１３は、焦点距離可変光学系の実施例３の第１状態の場合の断面図である。図１４は、焦点距離可変光学系の実施例３の第２状態の場合の断面図である。
【００５５】
実施例３の焦点距離可変光学系１は、物体側から像側へ順に、単一の光軸Ｌｃを持つ前レンズ群Ｇｆと、開口絞りＳと、前レンズ群Ｇｆと同軸に配置された単一の光軸Ｌｃを持つ後レンズ群Ｇｂと、を備える。
【００５６】
前レンズ群Ｇｆは、物体側から像側へ順に、物体側に平面を向けた平凹負レンズＬf1と、充填部２と、物体側に凸面を向けた負メニスカスレンズＬf2と、像面側に凸面を向けた正メニスカスレンズＬf3と、を有する。
【００５７】
後レンズ群Ｇｂは、物体側から像側へ順に、両凸正レンズＬb1と、平板Ｌb2と、物体側に凸面を向けた負メニスカスレンズＬb3と両凸正レンズＬb4の接合レンズＳＵb1と、平板Ｌb5と、物体側に凸面を向けた平凸正レンズＬb6と、を有する。
【００５８】
前レンズ群Ｇｆと後レンズ群Ｇｂの間には、開口絞りＳが配置される。
【００５９】
充填部２は、前レンズ群Ｇｆの平凹負レンズＬf1の像面側の面ｒ2と負メニスカスレンズＬf2の物体側の面ｒ3の間に配置される。実施例２において、充填部２は、図１３に示すように、第１状態の時、第１媒質としての空気２ａが充填され、図１４に示すように、第２状態の時、第２媒質としての特許文献２に記載されたような高屈折率液体２ｃが充填される。
【００６０】
このように、充填部２は、第１媒質としての空気２ａと第２媒質としての高屈折率液体２ｃを充填及び排出可能なので、空気２ａと高屈折率液体２ｃを入れ替えることで、焦点距離を繰り返して切り替えることができ、観察画角を繰り返して切り替えることが可能となる。
【００６１】
図１５及び図１６は、焦点距離可変光学系の実施例３の第１状態の場合の収差図である。また、図１７及び図１８は、焦点距離可変光学系の実施例３の第２状態の場合の収差図である。
【００６２】
以下に、上記実施例１〜実施例３の構成パラメータを示す。
【００６３】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、曲率半径に記載する“∞”は、無限大であることを示している。また、Ｗは広角端、Ｔは望遠端を示している。
【００６４】
実施例１
面データ
面番号              曲率半径       面間隔         屈折率    アッベ数
物体面                ∞           16.00
1                  ∞            0.20          1.8830      40.7
2                  0.5004        0.58          媒質[1]     55.7
3                  4.7363        0.20          1.8830      40.7
4                  1.0635        0.40          1.5814      40.7
5                 -2.9946        0.11
6                  ∞（絞り）    0.00
7                  4.9811        0.25          1.8830      40.7
8                 -1.2850        0.15
9                  ∞            0.20          1.5140      75.0
10                  ∞            0.46
11                  1.5544        0.65          1.5688      56.3
12                 -0.7842        0.25          1.9229      18.9
13                 -4.3865        0.10          媒質[2]     55.7
14                  ∞            0.20          1.5229      59.9
15                  ∞            0.30
16                  2.0000        0.45          1.5163      64.1
像  面                ∞
媒質[1] 
W            T
屈折率                            1.000        1.3330 
媒質[2] 
W            T
屈折率                            1.000        1.3330 
W            T
画角（ω）                       90°         60°
Ｆナンバー（ｆｎｏ）              3.99         3.95
合成焦点距離（ｆｌ）              0.6236       0.8805
前側焦点距離（ｆｆ）              0.3843       0.3408
１−２群の合成焦点距離           -0.6739      -0.9990
４群間の合成焦点距離              6.1608      10.2467
物体距離（ＸＢ）                       -16.000
最大像高                                 0.4582
Ui１／Ui2              -0.0754／-0.0756＝0.9974
F1o                                     -1.2129
Fl                                       0.6236
F1o／Fl                                 -1.9450
ｄ                                       0.5753
ｄ／Fl                                   0.9225
【００６５】
実施例２
面データ
面番号              曲率半径       面間隔         屈折率    アッベ数
物体面                ∞           16.00
1                  ∞            0.20          1.8830      40.7
2                  0.4909        0.70          媒質[1]     55.7
3                  4.6816        0.30          1.4875      70.2
4                  3.5810        0.13
5                 -3.1695        0.30          1.8830      40.7
6                 -0.9653        0.10
7                  ∞（絞り）    0.00
8                  1.5017        0.25          1.8830      40.7
9                  6.5054        0.15
10                  ∞            0.20          1.5140      75.0
11                  ∞            0.37
12                 28.3701        0.25          1.9229      18.9
13                  0.6445        0.60          1.6056      43.7
14                 -1.5089        0.10
15                  ∞            0.20          1.5229      59.9
16                  ∞            0.20
17                  2.0000        0.45          1.5163      64.1
像  面                ∞
媒質[1] 
W            T
屈折率                            1.000        1.3330 
W            T
画角（ω）                       90°         60°
Ｆナンバー（ｆｎｏ）              3.98         3.96
合成焦点距離（ｆｌ）              0.6038       0.8603
前側焦点距離（ｆｆ）              0.4246       0.4516
１−２群の合成焦点距離           -0.5224      -0.7611
物体距離（ＸＢ）                       -16.000
最大像高                                 0.4582
Ui１／Ui2              -0.1747／-0.1739＝1.0047
F1o                                     -1.189
Fl                                       0.6038
F1o／Fl                                 -1.969
ｄ                                       0.7042
ｄ／Fl                                   1.1663
【００６６】
実施例３
面データ
面番号              曲率半径       面間隔         屈折率    アッベ数
物体面                ∞           16.00
1                  ∞            0.20          1.8830      40.7
2                  0.8353        0.70          媒質[1]     16.7
3                  1.2947        0.30          1.4875      70.2
4                  0.8559        0.39
5                -14.2493        0.30          1.8830      40.7
6                 -2.3812        0.25
7                  ∞（絞り）    0.00
8                  2.0133        0.25          1.8830      40.7
9                 -2.6302        0.15
10                  ∞            0.20          1.5140      75.0
11                  ∞            0.22
12                  2.3767        0.25          1.9229      18.9
13                  0.5367        0.60          1.6056      43.7
14                 -1.3997        0.10
15                  ∞            0.20          1.5229      59.9
16                  ∞            0.20
17                  2.0000        0.45          1.5163      64.1
像  面                ∞
媒質[1] 
W            T
屈折率                            1.000        1.798
W            T
画角（ω）                       90°         60°
Ｆナンバー（ｆｎｏ）              3.98         3.97
合成焦点距離（ｆｌ）              0.5900       0.8453
前側焦点距離（ｆｆ）              0.6203       0.7830
１−２群の合成焦点距離           -0.7154      -1.0297
物体距離（ＸＢ）                       -16.000
最大像高                                 0.4582
Ui１／Ui2                0.0609／0.0618＝0.9854
F1o                                     -0.9460
Fl                                       0.5900
F1o／Fl                                 -1.6034
ｄ                                       0.4390
ｄ／Fl                                   0.7441
【００６７】
上記実施例１〜３について、条件式（１）〜（３）の値を下記に示しておく。
【００６８】
条件式                       実施例１      実施例２      実施例３
（１）Ｕｉ１／Ｕｉ２          0.9974        1.0047        0.9854
（２）｜Ｆ１ｏ／Ｆ１｜        1.9450        1.969         1.6034
（３）ｄ／Ｆ１                0.9225        1.1663        0.7441
【００６９】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００７０】
１…焦点距離可変光学系
Ｇｆ…前レンズ群
Ｇｂ…後レンズ群
２…充填部
Ｓ…開口絞り
Ｉ…像面
【図１】
2014029365.tif 000003
【図２】
2014029365.tif 000004
【図３】
2014029365.tif 000005
【図４】
2014029365.tif 000006
【図５】
2014029365.tif 000007
【図６】
2014029365.tif 000008
【図７】
2014029365.tif 000009
【図８】
2014029365.tif 000010
【図９】
2014029365.tif 000011
【図１０】
2014029365.tif 000012
【図１１】
2014029365.tif 000013
【図１２】
2014029365.tif 000014
【図１３】
2014029365.tif 000015
【図１４】
2014029365.tif 000016
【図１５】
2014029365.tif 000017
【図１６】
2014029365.tif 000018
【図１７】
2014029365.tif 000019
【図１８】
2014029365.tif 000020